(57)【特許請求の範囲】
【請求項１】
透液性表面シートと不透液性裏面シートとの間に吸収体が介在された本体部分の両側部に夫々、装着時に下着のクロッチ部分を巻き込むようにして固定されるウイング状フラップが形成され、かつ前記ウイング状フラップの前記不透液性裏面シート側の面にウイングズレ止め粘着剤層が形成された吸収性物品において、
前記ウイング状フラップの一方側に、前端縁側を始点として吸収性物品の長手方向に沿って線状に第１の切込みを形成し、前記ウイング状フラップの他方側に、後端縁側を始点として吸収性物品の長手方向に沿って線状に第２の切込みを形成し、前記両ウイング状フラップを本体側に折り畳んだ状態で前記第１の切込みと前記第２の切込みとを引っ掛け合うように掛止可能とし、
前記両ウイング状フラップの一方側において、前記切込みに代えて、吸収性物品の長手方向に沿って線状に複数本のミシン目を形成してあることを特徴とする吸収性物品。
【請求項２】
前記第１の切込みの内方端から吸収性物品の幅方向に引いた仮想線と、前記第２の切込みの内方端から吸収性物品の幅方向に引いた仮想線とで示される前記切込みの重なり代を０〜５mmに設定してある請求項１記載の吸収性物品。
【請求項３】
前記第１の切込みの内方端及び前記第２の切込みの内方端には、これら内方端からの引き裂きを防止するための引裂防止処理を施してある請求項１、２いずれかに記載の吸収性物品。
【請求項４】
前記第１の切込みの長さと、前記第２の切込みの長さとを夫々異ならせている請求項１〜３いずれかに記載の吸収性物品。
【請求項５】
前記第１の切込み及び第２の切込みの形成部位を含む領域に、補強シートを内挿するかエンボスを付与することにより、他の領域よりも高い剛性を付与してある請求項１〜４いずれかに記載の吸収性物品。
【発明の詳細な説明】
【技術分野】
【０００１】
本発明は、下着への固定に際し、下着のクロッチ部分に巻き付けるようにして使用されるウイング状フラップを備えた吸収性物品に関する。
【背景技術】
【０００２】
従来より、生理用ナプキン、パンティライナー、おりものシート、失禁パッドなどの吸収性物品Ｎとしては、例えば図１３に示されるように、ポリエチレンシートまたはポリエチレンラミネート不織布などからなる不透液性裏面シート５０と、不織布または透孔性プラスチックシートなどからなる透液性表面シート５１との間に綿状パルプなどからなる吸収体５２を介在させたものが知られている。
【０００３】
この種の吸収性物品Ｎとしては、装着状態でのズレ止めを図るために、例えば非肌当接面側（外面）に１または複数条の粘着剤層５３，５３を形成し、かつナプキン本体の長手方向両側部に、外方に延在するウイング状フラップＷ、Ｗを一体的に形成するとともに、このウイング状フラップＷ、Ｗの不透液性裏面シート５０側の面（外面）に粘着剤層５４，５４を設けるようにしたものが存在する。
【０００４】
前記吸収性物品Ｎを下着６０に固定するには、図１４に示されるように、吸収性物品Ｎを下着６０の局所対応部位にあてがい、側方に突出する前記ウイング状フラップＷ、Ｗを下着より外方に突出させ、両ウイング状フラップＷ、Ｗを折返し線ＲＬ、ＲＬで折返し、下着のクロッチ部分を巻き込むようにしながら下着６０の股間部外面に接着した後、下着を身体に装着するようにしている。
【０００５】
この種の吸収性物品では、ウイング状フラップの下着（以下、ショーツともいう）への固定性を高めるための手段が種々提案されている。例えば、下記特許文献１では、透液性トップシートと不透液性バックシートとの間に吸収体が介在され、かつ両側部に側方に突出したウイング状フラップが夫々形成された吸収性物品において、前記ウイング状フラップは少なくとも肌当接面側が不織布とされるとともに、裏面側に折り返した際、それぞれのウイング状フラップの先端部同士が重なりを持つように形成され、かつ前記ウイング状フラップの少なくとも一方側の非肌当接面側に面ファスナーが固定されているとともに、この面ファスナーと接合される他方側ウイング状フラップの不織布に波状加工が施されている吸収性物品が開示されている。
【０００６】
下記特許文献２では、液保持性の吸収層及び液不透過性の裏面層を具備する実質的に縦長の吸収性本体と、該吸収性本体の両側縁部から延出する一対のウイング部とを有する吸収性物品において、前記各ウイング部は、捲縮した捲縮性繊維及び熱融着性繊維を含み伸縮性を有する不織布で形成されており、該不織布には、熱融着部が部分的に形成されており、前記両ウイング部は、前記吸収性物品の装着時に少なくともそれぞれの一部が互いに重合可能に形成されており、一方の該ウイング部の片面に、メカニカルホックのオス部材が配設され、他方の該ウイング部の片面は、前記両ウイング重合時に前記オス部材が直接係合止着可能になされている吸収性物品が開示されている。
【先行技術文献】
【特許文献】
【０００７】
【特許文献１】特開２００３−１１１７９９号公報
【特許文献２】特開２００４−１５４３５２号公報
【発明の概要】
【発明が解決しようとする課題】
【０００８】
図１３に示されるウイング状フラップＷは、粘着剤５４，５４の粘着力によってウイング状フラップＷをショーツに対して固定するものである。しかしながら、この生理用ナプキンの場合は、装着中にウイング状フラップＷがショーツから剥がれてしまい、それが原因でナプキンがズレを起こし、そこから横漏れが生じることがあった。
【０００９】
一方、前記特許文献１，２に係る生理用ナプキンの場合は、メカニカルファスナーと呼ばれる面ファスナーによって機械的にウイング状フラップ同士を結合するため、前記粘着剤タイプのものよりも、装着中にウイング状フラップが剥がれてしまうのを防止することが可能となる。しかしながら、この場合は、面ファスナー部材を別途必要とするため、部材数が多くなるとともに、コスト高となる。また、面ファスナー自体が高い剛性を有するため、股下部分で大きな違和感を感じるようになるなどの問題があった。
【００１０】
他方で、前記ウイング状フラップを粘着剤で止めるようにしたナプキンの場合、使用後の廃棄時に本体を畳んだ後、ウイング状フラップを外面に貼着して固定を図るようにしているが、粘着剤が一度使用済みであるため粘着力が低下しており、固定状態が自然に解かれてしまうことがあった。
【００１１】
そこで本発明の主たる課題は、ウイング状フラップを粘着剤による接着力によってショーツに接着することを基本としながら、ウイング状フラップがショーツから剥がれ難くし、吸収性物品のズレ防止を図ると共に、体液漏れを防止した吸収性物品を提供することにある。
【００１２】
また同時に、使用後の廃棄時に本体を畳んだ後、ウイング状フラップの粘着剤で固定を図る場合、この固定状態が解かれ難くすることにある。
【課題を解決するための手段】
【００１３】
上記課題を解決するために請求項１に係る本発明として、透液性表面シートと不透液性裏面シートとの間に吸収体が介在された本体部分の両側部に夫々、装着時に下着のクロッチ部分を巻き込むようにして固定されるウイング状フラップが形成され、かつ前記ウイング状フラップの前記不透液性裏面シート側の面にウイングズレ止め粘着剤層が形成された吸収性物品において、
前記ウイング状フラップの一方側に、前端縁側を始点として吸収性物品の長手方向に沿って線状に第１の切込みを形成し、前記ウイング状フラップの他方側に、後端縁側を始点として吸収性物品の長手方向に沿って線状に第２の切込みを形成し、前記両ウイング状フラップを本体側に折り畳んだ状態で前記第１の切込みと前記第２の切込みとを引っ掛け合うように掛止可能とし、
前記両ウイング状フラップの一方側において、前記切込みに代えて、吸収性物品の長手方向に沿って線状に複数本のミシン目を形成してあることを特徴とする吸収性物品が提供される。
【００１４】
上記請求項１記載の発明では、ウイング状フラップの一方側に、前端縁側を始点として吸収性物品の長手方向に沿って線状に第１の切込みを形成し、ウイング状フラップの他方側に、後端縁側を始点として吸収性物品の長手方向に沿って線状に第２の切込みを形成するものである。すなわち、両ウイング状フラップ間において、夫々上下逆方向から切込みを形成する。そして、前記両ウイング状フラップを本体側に折り畳んだ状態で前記第１の切込みと前記第２の切込みとを引っ掛け合うように掛止可能とした。
【００１５】
吸収性物品の装着時には、両ウイング状フラップを折返し、下着のクロッチ部分を巻き込むようにしながら下着の股間部外面に接着させるとともに、ウイング状フラップの先端同士を前記第１の切込みと前記第２の切込みとを引っ掛け合うように掛止させる。従って、ウイング状フラップがショーツから剥がれ難くなり、吸収性物品の位置ズレを防止することが可能となる。また、吸収性物品の廃棄時も、本体を畳んだ後、ウイング状フラップの粘着剤で固定を図るとともに、ウイング状フラップの先端同士を前記第１の切込みと前記第２の切込みとを引っ掛け合うように掛止させることにより、ウイング状フラップによる固定が解かれにくくなる。
【００１６】
また、上記請求項１記載の発明では、両ウイング状フラップの一方側において、前記切込みに代えて、吸収性物品の長手方向に沿って線状に複数本のミシン目を形成したものである。すなわち、本発明は、色々なショーツのクロッチ幅に合わせて掛止位置を調整できるようにしたものである。複数の切込みを形成した場合は、切込みによってヒラヒラしてしまうため、切込みに代えて複数のミシン目を形成しておき、使用するミシン目だけを引き裂いて切込みとする。
【００１７】
請求項２に係る本発明として、前記第１の切込みの内方端から吸収性物品の幅方向に引いた仮想線と、前記第２の切込みの内方端から吸収性物品の幅方向に引いた仮想線とで示される前記切込みの重なり代を０〜５mmに設定してある請求項１記載の吸収性物品が提供される。
【００１８】
上記請求項２記載の発明においては、前記第１の切込みと第２の切込みの吸収性物品長手方向の重なり代を、０〜５mmに設定するものである。すなわち、ウイング状フラップの先端同士を前記第１の切込みと前記第２の切込みとが引っ掛け合うように相互に掛止させた際、この掛止が解けにくくなるように前記重なり代を０〜５mmの範囲に設定するものである。
【００１９】
請求項３に係る本発明として、前記第１の切込みの内方端及び前記第２の切込みの内方端には、これら内方端からの引き裂きを防止するための引裂防止処理を施してある請求項１、２いずれかに記載の吸収性物品が提供される。
【００２０】
上記請求項３記載の発明では、前記切込みの内方端から裂けるのを防止するために引裂防止処理を施したものである。引裂防止処理には、例えばＹ字処理、円形孔処理、Ｔ字処理などを挙げることができる。
【００２１】
請求項４に係る本発明として、前記第１の切込みの長さと、前記第２の切込みの長さとを夫々異ならせている請求項１〜３いずれかに記載の吸収性物品が提供される。
【００２２】
上記請求項４記載の発明では、前記第１の切込みの長さと、前記第２の切込みの長さとを夫々異ならせるようにしたものである。この場合は、吸収性物品を縦流れ方式（吸収性物品の長手方向がライン方向となる。）でラインを流す際、切込み長の短い側を下流側に向けて流すことで、切込みから外側部分が生産機械に引っ掛かって千切れるのを極力防止できるようになる。
【００２３】
請求項５に係る本発明として、前記第１の切込み及び第２の切込みの形成部位を含む領域に、補強シートを内挿するかエンボスを付与することにより、他の領域よりも高い剛性を付与してある請求項１〜４いずれかに記載の吸収性物品が提供される。
【００２４】
上記請求項５記載の発明では、前記第１の切込み及び第２の切込みの形成部位を含む領域に、補強シートを内挿するかエンボスを付与することにより、他の領域よりも高い剛性を付与するようにしたものである。これにより、切込み部分が摘み易くなるとともに、切込み同士の掛止が解かれにくくなる。
【発明の効果】
【００２５】
以上詳説のとおり、ウイング状フラップを粘着剤による接着力によってショーツに接着することを基本としながら、ウイング状フラップがショーツから剥がれ難くし、吸収性物品のズレ防止を図ると共に、体液漏れを防止する。また、使用後の廃棄時に本体を畳んだ後、ウイング状フラップの粘着剤で固定を図る場合、この固定状態が解かれ難くすることができる。
【図面の簡単な説明】
【００２６】
【図１】本発明に係る生理用ナプキン１の一部破断展開図である。
【図２】その裏面図である。
【図３】図１のIII−III線矢視図である。
【図４】ウイング状フラップＷの要部拡大平面図である。
【図５】生理用ナプキン１の装着状態を外側から見た図である。
【図６】(A)〜(C)は切込みの引裂防止処理の例を示したウイング状フラップの展開図である。
【図７】ウイング状フラップＷの切込み形成要領の他例を示す要部展開図である。
【図８】ウイング状フラップＷの切込み形成要領の他例を示す要部展開図である。
【図９】ウイング状フラップの剛度増大処理領域を示す要部展開図である。
【図１０】廃棄時の折畳んだ状態でのウイング状フラップによる固定要領を示す図である。
【図１１】ウイング状フラップの他の形状例を示す裏面図である。
【図１２】ウイング状フラップの他の形状例を示す裏面図である。
【図１３】従来の生理用ナプキンＮの展開図である。
【図１４】その装着状態図である。
【発明を実施するための形態】
【００２７】
以下、本発明の実施の形態について図面を参照しながら詳述する。
【００２８】
《生理用ナプキン１の構造例》
本発明に係る生理用ナプキン１は、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙５と、前記透液性表面シート３とクレープ紙５との間に介在された親水性不織布からなるセカンドシート６と、表面両側部にそれぞれ長手方向に沿って形成されたサイド不織布７，７とから構成されている。前記吸収体４の周囲において、その上下端縁部では、前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と前記サイド不織布７とがホットメルトなどの接着剤やヒートシール等の接着手段によって接合されている。
【００２９】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００３０】
前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。なお、前記透液性表面シート３の上面側から各種のエンボスを付与し、体液の滞留を促進し吸収効率を高めることにより横漏れを防止するのが望ましい。
【００３１】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。
【００３２】
前記透液性表面シート３とクレープ紙５との間に介在された親水性不織布からなるセカンドシート６は、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。親水性を付与するには、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えることができる。
【００３３】
一方、本生理用ナプキン１の表面がわ両側部にはそれぞれ、長手方向に沿ってかつナプキン１のほぼ全長に亘ってサイド不織布７，７が設けられ、このサイド不織布７，７の一部が側方に延在されるとともに、同じく側方に延在された不透液性裏面シート２の一部とによりウイング状フラップＷ、Ｗが形成されている。このウイング状フラップＷについては後で詳述する。
【００３４】
前記サイド不織布７としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにする。
【００３５】
図２に示されるように、前記透液性表面シート３と不透液性裏面シート２との間に吸収体４が介在された本体部分の非肌当接面には、下着に対する固定のために適宜の塗布パターンによって複数条の、図示例では３条の本体ズレ止め粘着剤層１７、１７…が形成されているとともに、これら本体ズレ止め粘着剤層１７，１７…が図示されない本体用剥離材によって覆われている。また、前記ウイング状フラップＷ、Ｗの不透液性裏面シート２側の面には、ウイングズレ止め粘着剤層１６が形成されるとともに、これらウイングズレ止め粘着剤層１６，１６が図示されないウイング用剥離材によって覆われている。前記剥離材は、本体用剥離材と横断方向に配置されたウイング用剥離材とを交差部で接合し、１回の剥離手間で剥離材を撤去できるようにするのが望ましく、前記ウイング状フラップＷ、Ｗは、個装状態では透液性表面シート３側に折り畳む、所謂腹折りとしても良いし、不透液性裏面シート２側に折り畳む、所謂背折りとすることでもよい。また、ウイングズレ止め粘着剤層１６，１６を覆う剥離材として１枚の剥離材ではなく、左右に分離させてもよい。
【００３６】
前記剥離材としては、ズレ止め粘着剤層１６，１７に対する当接面に対し、例えばシリコーン系樹脂、フッ素系樹脂、または四フッ化エチレン系樹脂などの離型処理液を塗工するかスプレー塗布し離型処理した紙またはプラスチックシートを用いることができる。
【００３７】
前記ズレ止め粘着剤層１６，１７を形成する粘着剤としては、たとえばスチレン系ポリマー、粘着付与剤、可塑剤のいずれかが主成分であるものが好適に使用される。前記スチレン系ポリマーとしては、スチレン−エチレン−ブチレン−スチレンブロック共重合体、スチレン−ブチレン−スチレンブロック共重合体、スチレン−イソブチレン−スチレン共重合体、スチレン−ブタジエン−スチレンブロック共重合体等が挙げられるが、これらのうち１種のみを使用しても、二種以上のポリマーブレンドであってもよい。この中でも熱安定性が良好であるという点で、スチレン−ブタジエン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフレシル、フタル酸ジブチル、フタル酸ジオクチル等のモノマー可塑剤の他、ビニル重合体やポリエステルのようなポリマー可塑剤が挙げられる。
【００３８】
《ウイング状フラップＷ》
本生理用ナプキン１では、前記ウイング状フラップＷは、外形線の少なくとも一部が波状線や曲線又はこれらの組み合わせとした凹凸曲線で形成してあり、このウイング状フラップＷの不透液性裏面シート２側の面には図２に示されるように、ウイングズレ止め粘着剤層１６が形成されている。
【００３９】
前記ウイング状フラップＷは、詳細には図４に示されるように、本体部分から外方に延びる前側外形線１０と、本体部分から外方に延びる後側外形線１１と、前記前側外形線１０と後側外形線１１とを繋ぐ先端側外形線１２とからなる外形状を成す。そして、これらの外形線のうち少なくとも一部が波状線や曲線又はこれらの組み合わせとしてある。好ましくは、前記前側外形線１０又は後側外形線１１の少なくとも一方が波状線や曲線又はこれらの組み合わせとしてある。
【００４０】
また、本生理用ナプキン１では、前記ウイング状フラップＷの形状を、生理用ナプキン１の幅方向線と前記前側外形線１０との成す角度θよりも前記生理用ナプキン１の幅方向線と前記後側外形線１１との成す角度βの方が大きく設定され、前記ウイング状フラップＷの重心１３がウイング状フラップＷの付け根と本体部分との接合線１５の中央点１４よりもΔＳだけ前側に偏倚させるようにしている。前記前側外形線１０、後側外形線１１及び先端側外形線１２は、波状線や曲線又はこれらの組み合わせである必要はなく、一部が直線であってもよい。前側外形線１０、後側外形線１１が波状線や曲線又はこれらの組み合わせの場合、角度θ、βは、これらの波状又は曲線外形線の中心線が成す勾配を取ればよい。
【００４１】
前記生理用ナプキン１の幅方向線と前記前側外形線１０との成す角度θは、０〜１５°程度とし、前記生理用ナプキン１の幅方向線と前記後側外形線１１との成す角度βは３５〜４０°程度とするのが望ましく、この場合、前記生理用ナプキン１の幅方向線と前記前側外形線１０との成す角度θと、前記生理用ナプキン１の幅方向線と前記後側外形線１１との成す角度βとの角度差は３０°以上とするのが望ましい。この角度差が３０°以上であると、十分な偏心距離ΔＳを確保でき、ウイング状フラップＷを折り返す際に、後述のように、手を前側に動かす動作を伴いながら手でウイング状フラップを折り返しても、きっちりと正規の状態で装着できるようになる。
【００４２】
一方、前記ウイング状フラップＷの突出長Ｌは、３５mm以上、好ましくは４０〜５０mmとし、ショーツ３０のクロッチ部分でウイングＷの先端同士がある程度の幅で重なるようにしている。なお、ウイング状フラップＷの基端部のナプキン長手方向の長さは、ショーツのクロッチ内に納まるように８０mm以内とするのがよい。
【００４３】
本生理用ナプキン１においては、図１に示されるように、前記ウイング状フラップＷの一方側に、前端縁側Ｗfを始点としてナプキン１の長手方向に沿って線状に第１の切込み８を形成し、前記ウイング状フラップＷの他方側に、後端縁側Ｗbを始点としてナプキン１の長手方向に沿って線状に第２の切込み９を形成し、前記両ウイング状フラップＷ、Ｗを本体側に折り畳んだ状態で前記第１の切込み８と前記第２の切込み９とを引っ掛け合うように掛止可能としてある。
【００４４】
従って、図５に示されるように、ナプキン１の装着時には、両ウイング状フラップＷ、Ｗを折返し、下着２０のクロッチ部分を巻き込むようにしながら下着の股間部外面に接着させるとともに、ウイング状フラップＷ、Ｗの先端同士を前記第１の切込み８と前記第２の切込み９とが引っ掛け合うように掛止させる。その結果、ウイング状フラップＷ、Ｗがショーツ２０から剥がれ難くなり、ナプキン１の位置ズレを防止することが可能となる。また、ナプキン１の廃棄時も、図１０に示されるように、本体を畳んだ後、ウイング状フラップＷ、Ｗの粘着剤で固定を図るとともに、ウイング状フラップＷ、Ｗの先端同士を前記第１の切込み８と前記第２の切込み９とを引っ掛け合うように掛止させることにより、ウイング状フラップＷ、Ｗによる固定が解かれにくくなる。
【００４５】
前記第１の切込み８と第２の切込み９の形成位置は、ウイング状フラップＷの先端から内方側に５mm以上の距離ａを確保し、摘み易くするのが望ましく、その長さ寸法は、切込み８，９から先の部分がちぎり取られないようにするため、切込み形成位置におけるウイング状フラップＷのナプキン長手方向寸法ｂに対して２／３以下の寸法で形成するのが望ましい。また、図示例のようにウイング状フラップＷの外形線が凹凸曲線で形成されている場合は、ちぎれ防止のために、凹部の底に掛からないように切り込み８，９を形成するのが望ましい。
【００４６】
更に、前記切込み８，９とウイングズレ止め粘着剤層１６との離間距離ｃは、前記距離ａ以上、すなわち５mm以上確保するのが望ましい。ウイング状フラップＷ、Ｗ同士を掛止させた際に、切込み８，９から先のウイング状フラップＷ部分がズレ止め粘着剤１６に接着しないようにするとともに、切込み８，９から先が折り返った時に接着しないようするためである。
【００４７】
前記第１の切込み８と第２の切込み９との相対的関係は、図１に示されるように、前記第１の切込み８の内方端からナプキン１の幅方向に引いた仮想線と、前記第２の切込み９の内方端からナプキン１の幅方向に引いた仮想線とで示される重なり代Ｋは、０〜５mm、好ましくは３〜５mmに設定するのが望ましい。この重なり代Ｋが大き過ぎると、ウイング状フラップＷ、Ｗの掛止が解け易くなる。また、重ね代Ｋを取らないと（Ｋ＝０）、一方又は両方のウイング状フラップＷが若干傾いて折り畳まれた場合、前記ウイング状フラップＷ、Ｗの掛止部にシワが発生し易くなる。
【００４８】
前記第１の切込み８の内方端及び前記第２の切込み９の内方端には、これら内方端からの引き裂きを防止するための引裂防止処理を施すようにするのが望ましい。前記引裂防止処理としては、例えば図６(A)に示されるように、内方端をＹ字状に分岐させるＹ字処理、図６(B)に示されるように、内方端に円形孔を形成する円形孔処理、図６(C)に示されるように、内方端をＴ字状に分岐させるＴ字処理などが挙げられる。
【００４９】
前記切込み８，９は、図７に示されるように、前記第１の切込み８の長さＬ２と、前記第２の切込み９の長さＬ１と夫々異ならせるようにしてもよい。この場合は、ナプキン１を縦流れ方式（ナプキン１の長手方向がライン方向となる。）でラインを流す際、切込み長の短い側、図示例では第２の切込み９を下流側に向けて流すことで、切込み９から外側部分が生産機械に引っ掛かって千切れるのを極力防止できるようになる。
【００５０】
前記両ウイング状フラップＷ、Ｗの一方側において、前記切込み８，９に代えて、ナプキン１の長手方向に沿って線状に複数本のミシン目を形成するようにしてもよい。例えば、図８に示されるように、第１の切込み８に代えて、複数本のミシン目８ａ〜８ｃを形成するようにする。複数本の切込みを形成した場合は、ウイング状フラップＷのの先端がばらけたようにヒラヒラしてしまうため、使用するミシン目だけを引き裂いて切込みとする。これによって、色々なショーツのクロッチ幅に合わせて掛止位置を調整できるようになる。
【００５１】
一方で、図９に示されるように、前記切込み８，９を含む範囲１８には、補強シートを内挿するかエンボスを付与することにより、他の領域よりも高い剛性を付与するようにするのが望ましい。前記補強シートとしては、例えば紙や不織布などを挙げることができる。前記エンボス処理の場合、ナプキン１の外周に全周エンボスを設けている場合は、特に前記切込み８，９を含む範囲に対して他の全周エンボスよりもエンボス密度を上げるようにして周辺よりもコシを出すようにする。これらの処理により、切込み部分が摘み易くなるとともに、切込み同士の掛止が解かれにくくなる。剛性を上げる方法としては他に、サイド不織布７として使用する不織布として、坪量の高い不織布、具体的には３０〜１００g/m2、好ましくは５０〜１００g/m2程度のものを使用するようにしてもよい。
【００５２】
〔その他の形態例〕
(1)前記不透液性裏面シート２に対して、デザインや色を設ける場合は、前記切込み８，９を境に、デザインや色を変化させるようにしてもよい。デザインや色を変えることで、切込み位置が分かりやすくなる。
(2)ウイング状フラップＷ、Ｗの外形状は任意であるが、装着時に本体側に折返し、ウイング状フラップＷ、Ｗの先端同士を前記第１の切込み８と前記第２の切込み９とを引っ掛け合うように掛止させた際に出来上がる形状がデザイン性に優れていると見栄えが向上する。例えば、図１１の例はウイング状フラップＷ、Ｗの先端同士を掛止させた際に、ハート形の形状ができるようにしたものであり、図１２の例は、ウイング状フラップＷ、Ｗの先端同士を掛止させた際に、花びら状の模様ができるようにしたものである。
(3)上記形態例では、ウイング状フラップの外形線が波状線や曲線で形成されたものを例示したが、例えば図１３に示されるような一般的な台形状のウイング状フラップＷ、Ｗに対しても全く同様に本発明を適用することが可能である。
【符号の説明】
【００５３】
１…生理用ナプキン、２…不透液性裏面シート、３…透液性表面シート、４…吸収体、５…クレープ紙、６…セカンドシート、７…サイド不織布、８…第１の切込み、８ａ〜８ｃ…ミシン目、９…第２の切込み、１６…ウイングズレ止め粘着剤層、１７…本体ズレ止め粘着剤層、１０…前側外形線、１１…後側外形線、１２…先端側外形線、Ｗ…ウイング状フラップ
【図１】
0005968641.tif 000002
【図２】
0005968641.tif 000003
【図３】
0005968641.tif 000004
【図４】
0005968641.tif 000005
【図５】
0005968641.tif 000006
【図６】
0005968641.tif 000007
【図７】
0005968641.tif 000008
【図８】
0005968641.tif 000009
【図９】
0005968641.tif 000010
【図１０】
0005968641.tif 000011
【図１１】
0005968641.tif 000012
【図１２】
0005968641.tif 000013
【図１３】
0005968641.tif 000014
【図１４】
0005968641.tif 000015